(57)【要約】サーバ装置（１００）が、入庫時に携帯型端末（５００）のネットワークへの接続状況を確認し、個々の携帯型端末（５００）に関連付けられた端末属性情報を当該携帯型端末（５００）から取得し、携帯型端末（５００）との接続が為されたときに利用者車両の入庫を許可し、車両が入庫する際に入庫時刻情報を生成し、出庫時にサーバ装置（２００）が当該携帯型端末（５００）との接続状況を確認し、当該携帯型端末（５００）との接続が為されたときに出庫時刻情報を生成し、入庫時刻情報及び出庫時刻情報に基づいて当該携帯型端末（５００）に対する料金精算情報を生成し、前記端末属性情報に関連付けて前記料金精算情報を当該携帯型端末（５００）に送信し、精算手段情報を当該携帯型端末（５００）から受信し、前記料金精算情報及び前記精算手段情報に基づいて料金を精算し、利用者車両の出庫を許可するようにした。
2004015635.tif 000002
【特許請求の範囲】
【請求項１】
駐車場を利用する利用者側の携帯型端末を用いて、ネットワークを介してサーバ装置が駐車場を管理する方法であって、
入庫時に携帯型端末のネットワークへの接続状況を確認するステップと、
個々の携帯型端末に関連付けられた端末属性情報を当該携帯型端末から取得するステップと、
携帯型端末との接続が為されたときに利用者の車両の入庫を許可するステップと、
車両が入庫する際に前記入庫時刻情報を生成するステップと、
出庫時に携帯型端末のネットワークへの接続状況を確認するステップと、
当該携帯型端末との接続が為されたときに出庫時刻情報を生成するステップと、
入庫時刻情報及び出庫時刻情報に基づいて利用者に対する料金精算情報を生成するステップと、
前記端末属性情報に関連付けて前記料金精算情報を当該携帯型端末に送信するステップと、
精算手段情報を当該携帯型端末から受信するステップと、
前記料金精算情報及び前記精算手段情報に基づいて料金を精算するステップと、
利用者車両の出庫を許可するステップとを、前記サーバ装置が実行する駐車場管理方法。
【請求項２】
前記入庫時刻情報を当該携帯型端末に送信するステップをサーバ装置が実行する請求の範囲１に記載の駐車場管理方法。
【請求項３】
当該駐車場が商業施設に併設している場合には、前記サーバ装置が商業施設側に備えられた販売システムと接続し、
利用者の商業施設における買上実績情報を端末属性情報に関連付けて取得するステップと、
前記買上実績情報に基づいて割引金額情報を算出するステップと、
前記割引金額情報を加味した料金精算情報を算出するステップとをサーバ装置が実行する、請求の範囲１に記載の駐車場管理方法。
【請求項４】
当該携帯型端末とサーバ装置との接続には、無線通信を用いる、請求の範囲１に記載の駐車場管理方法。
【請求項５】
当該携帯型端末が携帯型電話機である場合には、
前記料金精算情報を電話業者に送信するステップと、
電話業者から支払い完了情報を取得するステップとをサーバ装置が実行する、請求の範囲１に記載の駐車場管理方法。
【請求項６】
前記サーバ装置は、
入庫時に携帯型端末が接続するための入庫管理サーバ装置と、
出庫時に携帯型端末が接続するための出庫管理サーバ装置とを含む請求の範囲１に記載の駐車場管理方法。
【請求項７】
駐車場を利用する利用者側の携帯型端末を用いて、ネットワークを介してサーバ装置に駐車場を管理させるプログラムであって、
入庫時に携帯型端末のネットワークへの接続状況を確認するステップと、
個々の携帯型端末に関連付けられた端末属性情報を当該携帯型端末から取得するステップと、
携帯型端末との接続が為されたときに利用者の車両の入庫を許可するステップと、
車両が入庫する際に前記入庫時刻情報を生成するステップと、
出庫時に携帯型端末のネットワークへの接続状況を確認するステップと、
当該携帯型端末との接続が為されたときに出庫時刻情報を生成するステップと、
入庫時刻情報及び出庫時刻情報に基づいて利用者に対する料金精算情報を生成するステップと、
前記端末属性情報に関連付けて前記料金精算情報を当該携帯型端末に送信するステップと、
精算手段情報を当該携帯型端末から受信するステップと、
前記料金精算情報及び前記精算手段情報に基づいて料金を精算するステップと、
利用者車両の出庫を許可するステップとを、前記サーバ装置に実行させる、コンピュータで実行可能な駐車場管理プログラム。
【請求項８】
前記入庫時刻情報を当該携帯型端末に送信するステップをサーバ装置に実行させる請求の範囲７に記載のコンピュータで実行可能な駐車場管理プログラム。
【請求項９】
当該駐車場が商業施設に併設している場合には、前記サーバ装置が商業施設側に備えられた販売システムと接続し、
利用者の商業施設における買上実績情報を端末属性情報に関連付けて取得するステップと、
前記買上実績情報に基づいて割引金額情報を算出するステップと、
前記割引金額情報を加味した料金精算情報を算出するステップとをサーバ装置に実行させる、請求の範囲７に記載のコンピュータで実行可能な駐車場管理プログラム。
【請求項１０】
当該携帯型端末とサーバ装置との接続には、無線通信を用いる、請求の範囲７に記載のコンピュータで実行可能な駐車場管理プログラム。
【請求項１１】
当該携帯型端末が携帯型電話機である場合には、
前記料金精算情報を電話業者に送信するステップと、
電話業者から支払い完了情報を取得するステップとをサーバ装置に実行させる、請求の範囲７に記載のコンピュータで実行可能な駐車場管理プログラム。
【請求項１２】
前記サーバ装置は、
入庫時に携帯型端末が接続するための入庫管理サーバ装置と、
出庫時に携帯型端末が接続するための出庫管理サーバ装置とを含む請求の範囲７に記載のコンピュータで実行可能な駐車場管理プログラム。
【請求項１３】
駐車場を利用する利用者側の携帯型端末を用いて、ネットワークを介して駐車場を管理するサーバ装置であって、
入庫時に携帯型端末のネットワークへの接続状況を確認するための入庫時接続状況確認手段と、
個々の携帯型端末に関連付けられた端末属性情報を当該携帯型端末から取得するための端末属性情報取得手段と、
携帯型端末との接続が為されたときに利用者の車両の入庫を許可するための入庫許可手段と、
車両が入庫する際に前記入庫時刻情報を生成するための入庫時刻情報生成手段と、
出庫時に携帯型端末のネットワークへの接続状況を確認するための出庫時接続状況確認手段手段と、
当該携帯型端末との接続が為されたときに出庫時刻情報を生成するための出庫時刻情報生成手段と、
入庫時刻情報及び出庫時刻情報に基づいて利用者に対する料金精算情報を生成するための料金精算情報生成手段と、
前記端末属性情報に関連付けて前記料金精算情報を当該携帯型端末に送信するための料金精算情報送信手段と、
精算手段情報を当該携帯型端末から受信するための精算手段情報受信手段と、
前記料金精算情報及び前記精算手段情報に基づいて料金を精算するための料金精算手段と、
利用者車両の出庫を許可するための出庫許可手段とを備えるサーバ装置。
【請求項１４】
前記入庫時刻情報を当該携帯型端末に送信するための入庫時刻情報送信手段をさらに備える請求の範囲１３に記載のサーバ装置。
【請求項１５】
当該駐車場が商業施設に併設している場合には、前記サーバ装置が商業施設側に備えられた販売システムと接続するための販売システム接続手段と、
利用者の商業施設における買上実績情報を端末属性情報に関連付けて取得するための買上実績情報取得手段と、
前記買上実績情報に基づいて割引金額情報を算出するための割引金額情報算出手段と、
前記割引金額情報を加味した料金精算情報を算出するための割引加味料金精算情報生成手段とをさらに備える、請求の範囲１３に記載のサーバ装置。
【請求項１６】
当該携帯型端末との間を接続する無線通信手段をさらに備える、請求の範囲１３に記載のサーバ装置。
【請求項１７】
当該携帯型端末は携帯型電話機であり、
前記料金精算情報を電話業者に送信するための料金精算情報業者送信手段と、
電話業者から支払い完了情報を取得するための支払完了情報取得手段とをさらに備える、請求の範囲１３に記載のサーバ装置。
【請求項１８】
入庫時に携帯型端末が接続するための入庫管理サーバ装置と、
出庫時に携帯型端末が接続するための出庫管理サーバ装置とを含み、
入庫管理サーバ装置は、前記入庫時接続状況確認手段と、前記端末属性情報取得手段と、前記入庫許可手段と、前記入庫時刻情報生成手段とを備え、
出庫管理サーバ装置は、前記出庫時接続状況確認手段と、前記出庫時刻情報生成手段と、前記料金精算情報生成手段と、前記料金精算情報送信手段と、前記精算手段情報送信手段と、前記出庫許可手段とを備える、請求の範囲１３に記載のサーバ装置。
【請求項１９】
ネットワークを介してサーバ装置が駐車場を管理する際に、利用者側の携帯型端末に実行させるプログラムであって、
当該ネットワークに対する接続状況を確認するステップと、
当該ネットワークに接続したときに当該携帯型端末内のデータベースを初期化するステップと、
当該携帯型端末に関連付けられた端末属性情報をサーバ装置に送信するステップと、
入庫時刻情報をサーバ装置から受信するステップと、
駐車場利用時間を計測するステップと、
料金精算情報をサーバ装置から受信するステップと、
精算手段情報を生成するステップと、
前記精算手段情報に基づく支払い先に前記料金精算情報を送信するステップと、
前記支払い先から支払い完了情報を受信するステップとを携帯型端末に実行させる、駐車場利用携帯型端末プログラム。
【請求項２０】
前記入庫時刻情報と、前記入庫時刻情報に基づいて利用時間情報を表示するステップを実行させる、請求の範囲１９に記載の駐車場利用携帯型端末プログラム。
【発明の詳細な説明】
【技術分野】  本発明は、無線通信技術を用いた駐車場管理技術に関する。
【背景技術】  一般に、スーパーマーケット或いはデパート等の各種商業施設には、自動車で来店した顧客が利用する駐車場施設（以下駐車場と省略する）が併設されていることがある。
このような商業施設の駐車場を利用する際に、利用者が行う手順について説明する。
まず、駐車場の管理者は、駐車場への入庫を記録する駐車場カードを利用者に発行する。利用者は、駐車場カードを入口にて受け取り、所定の駐車位置へ入庫する。通常、この駐車場カードには、入庫時間が表記される。
利用者は、出庫時にこの駐車場カードを管理者に渡す。管理者は駐車場カードの入庫時間と出庫時間とに基づいて利用時間を算出し、利用時間に応じた利用料金を提示する。利用者は、この利用料金を管理者に支払う。管理者は利用料金を受け取るとともに、出庫を許可する。
また、商業施設の中には、商品等の購入金額に応じて、駐車場利用料金を割引く施設も多々ある。このような商業施設は、商業施設毎に定めた購入金額に応じた割引率に基づき前記利用料金を算出していた。
ところで、このような駐車場では、入出庫時の管理者と利用者とのやりとりに時間が掛かる問題があった。例えば、入出庫時に時間が掛かる原因には、駐車場カード及び利用料金の授受に手間が掛かることが挙げられる。
また、利用料金の割引を受ける際に、商業施設の窓口で割引適用の手続をする場合もあり、この手続にも手間が掛かっていた。
ところで、駐車場での入出庫時に手間が掛かる問題を解決する技術として、例えば特開２００２−１０９５８９号公報に開示の駐車場管理装置が提案されている。
この駐車場管理装置は、駐車場を利用する車両のナンバープレートを撮影して入出庫の管理に用いていた。
しかしながら、ナンバープレートが汚れている場合には、この駐車場管理装置では車両の識別が容易ではなかった。
また、この駐車場管理装置は、利用料金の授受に手間が掛かる問題についての解決が為されていなかった。
ところで、近年、通信技術の発達と需要の多様化に伴い、様々な無線ネットワークシステムが開発実用化されており、その中にブルートゥースと呼ばれる近距離無線データ通信技術を採用した無線ネットワークシステムがある。
ブルートゥースは、２．４ＧＨｚのＩＳＭ（Ｉｎｄｕｓｔｒｙ  Ｓｃｉｅｎｃｅ  Ｍｅｄｉｃａｌ）バンドを利用した短距離無線通信規格の一つであり、主としてパーソナル・コンピュータと、プリンタやモデム、キーボード等の周辺機器との間や、携帯電話機とパーソナル・コンピュータとの間を接続するために使用される。ブルートゥースを使用すると、各機器間を接続するケーブルを不要にできることから、各種機器の使い勝手を大幅に向上させることができる。
ブルートゥースでは、周波数ホッピング方式のスペクトラム拡散通信技術が使用される。ブルートゥースによる通信システムは、１ＭＨｚ幅のチャネルを７９個使い、これらのチャネルを１秒間に最大１６００回切り替える。これによって、ブルートゥースによる通信システムは、同じＩＳＭバンドを使用する他の無線通信に対する干渉を防止する。送信出力には３つのクラスがある。クラス１が＋２０ｄＢｍ（最大伝送距離１００ｍ）、クラス２が＋４ｄＢｍ、クラス３が０ｄＢｍ（最大伝送距離１０ｍ）である。最大データ伝送速度は１Ｍｂｐｓであるが、実効的には非対称伝送時に下りチャネルが７２１Ｋｂｐｓで、上りチャネルが５７．６Ｋｂｐｓである。対称伝送時には、下りチャネル及び上りチャネルともに最大伝送速度は、４３２．６Ｋｂｐｓとなる。下りチャネルと上りチャネルとの多重化方式には、ＴＤＤ（Ｔｉｍｅ  Ｄｉｖｉｓｉｏｎ  Ｄｕｐｌｅｘ）方式が使用される。
ブルートゥース対応の機器は、周波数ホッピング・パターンを決定するマスタと、それに従う最大７台のスレーブとに分かれる。マスタとスレーブとで構成される無線ネットワークをピコネットと呼ぶ。マスタは同時に他のピコネットのスレーブになることができる。この機能を利用して複数のピコネットを数珠つなぎにすることで、さらに大きな無線ネットワークシステムを構成することも可能である。これをスカッタネットと呼ぶ。各ピコネットにおいて、マスタとスレーブとの関係は任意に変更することが可能である。
本発明は前記事項を解決するために為されたものであり、無線通信を利用して駐車場における個々の車両の識別及び利用料金の授受を容易且つ正確に実施することができる、駐車場管理技術を提供することを課題とする。
【発明の開示】
本発明は前記課題を解決するために、以下の手段を採用した。
即ち、本発明は、サーバ装置が、入庫時に携帯型端末のネットワークへの接続状況を確認し、個々の携帯型端末に関連付けられた端末属性情報を当該携帯型端末から取得し、携帯型端末との接続が為されたときに利用者の車両の入庫を許可し、車両が入庫する際に前記入庫時刻情報を生成し、出庫時に携帯型端末のネットワークへの接続状況を確認し、当該携帯型端末との接続が為されたときに出庫時刻情報を生成し、入庫時刻情報及び出庫時刻情報に基づいて利用者に対する料金精算情報を生成し、前記端末属性情報に関連付けて前記料金精算情報を当該携帯型端末に送信し、精算手段情報を当該携帯型端末から受信し、前記料金精算情報及び前記精算手段情報に基づいて料金を精算し、利用者車両の出庫を許可するようにした。
従って、本発明は、サーバ装置が携帯型端末の接続状況を確認し、端末属性情報、入庫時刻情報、並びに出庫時刻情報を取得することで、個々の車両の駐車場利用料金を容易且つ正確に授受できる。
また、本発明は、前記入庫時刻情報を当該携帯型端末に送信するようにしてもよい。
前記携帯型端末が、送信された入庫時刻情報を表示すれば、利用者に利用時間を正確に認識させることができる。
また、本発明は、当該駐車場が商業施設に併設している場合には、前記サーバ装置が商業施設側に備えられた販売システムと接続し、サーバ装置が利用者の商業施設における買上実績情報を端末属性情報に関連付けてデータベースに格納し、前記買上実績情報に基づいて割引金額情報を算出し、前記割引金額情報を加味した料金精算情報を算出することもできる。ここで、販売システムとは、例えば店舗サーバ装置であり、またはＰＯＳ（Ｐｏｉｎｔ  ｏｆ  Ｓａｌｅｓ）システム端末である。
従って、本発明は、商業施設から利用者毎の買上実績情報を取得することで、容易且つ正確に利用料金の割引を実施することができる。
加えて、本発明は、当該携帯型端末とサーバ装置との接続には無線通信を用いることもできる。
本発明は、情報の送受に無線通信を用いることでネットワークへの接続が容易になり、入出庫時の手続が迅速に行われる。
さらに、本発明は、当該携帯型端末が携帯型電話機である場合には、サーバ装置が前記料金精算情報を電話業者に送信し、電話業者から支払い完了情報を取得することもできる。
前記手段により、本発明は、駐車場利用料金の支払いを電話業者の電話利用料金に含めることができる。
また、本発明は、入庫時に携帯型端末が接続するための入庫管理サーバ装置と、出庫時に携帯型端末が接続するための出庫管理サーバ装置とを含んでもよい。
【図面の簡単な説明】  第１図は、本発明の一実施の形態を示すシステム図である。
第２図は、入庫管理サーバ装置及び出庫管理サーバ装置の装置構成図である。
第３図は、入庫管理サーバ装置の主要な処理フローチャートである。
第４図は、出庫管理サーバ装置と携帯型端末との主要な処理フローチャートである。
第５図は、精算処理データベースの一例である。
【発明を実施するための最良の形態】  〈構成〉
以下、図面を参照して本発明の一実施の形態である、サーバ装置による駐車場管理システムを説明する。
図１は、本発明のサーバ装置による駐車場管理システムの概略を示すシステム図である。このシステム図は、駐車場を併設した商業施設で駐車場管理方法を実施した一例を示している。なお、本実施の形態では、商業施設の一形態である店舗について説明する。
駐車場側には、入庫管理サーバ装置１００と出庫管理サーバ装置２００が備えられている。
一方、店舗側には、店舗サーバ装置３００が備えられている。
入庫管理サーバ装置１００は、駐車場に入庫する車両を管理する。具体的には、入庫管理サーバ装置１００は、電話番号等の端末属性情報を携帯型端末５００より取得する。ただし、入庫管理サーバ装置１００は、端末属性情報として電話番号情報に代えて、携帯型端末５００の利用者を識別する他の情報を取得してもよい。前記利用者を識別する情報には、例えば個々の店舗で発行する顧客の会員番号、携帯型電話機の識別番号などが利用できる。
入庫管理サーバ装置１００は、前記端末属性情報と車両が入庫した時間を格納した入庫時刻情報とを、出庫管理サーバ装置２００に送信する。
出庫管理サーバ装置２００は、駐車場から出庫する車両を管理する。具体的には、出庫管理サーバ装置２００は、端末属性情報と入庫時刻情報とを入庫管理サーバ装置１００から取得する。また、出庫管理サーバ装置２００は、利用者毎の買上実績情報を店舗サーバ装置３００から取得する。また、出庫管理サーバ装置２００は、出庫する車両の携帯型端末５００に対応する端末属性情報、入庫時刻情報、並びに買上実績情報に基づいて、駐車場利用料金の精算情報として料金精算情報を算出する。さらに、出庫管理サーバ装置２００は、利用者が選択した利用料金の支払い方法の情報として、精算手段情報を取得する。
なお、この精算手段として、例えば現金支払い、クレジットカード、キャッシュカード、プリペイドカード、デビットカード、或いは電話料金との一括精算等が利用できる。利用料金を現金で支払う場合に利用者は、予め料金精算をカウンターや精算機等で行い、料金精算が完了したことを示す支払完了情報を出庫管理サーバ装置２００に通知する。各種カードで利用料金を支払う場合に利用者は、カード番号等を出庫管理サーバ装置２００に送信する。電話料金との一括精算を行う場合に利用者は、料金の請求先を特定するために、電話番号情報を出庫管理サーバ装置２００に送信する。
また、本実施の形態における駐車場を利用する車両には、携帯型端末５００が備えられている。この携帯型端末５００には、一般の携帯型電話機やＰＤＡ（Ｐｅｒｓｏｎａｌ  Ｄｉｇｉｔａｌ  Ａｓｓｉｓｔａｎｔ）などの携帯型情報端末を用いることが望ましい。また、本実施の形態における携帯型端末５００は、携帯型電話機や携帯型情報端末に代えて、車載型端末を用いてもよい。なお、携帯型端末５００には、本発明における携帯型端末の機能を実現するために必要な、駐車場利用携帯型端末プログラムがインストールされている。
入庫管理サーバ装置１００、出庫管理サーバ装置２００、並びに携帯型端末５００には、ブルートゥースによる無線通信機能を有する。携帯型端末５００と入庫管理サーバ装置１００及び出庫管理サーバ装置２００とは、ブルートゥースの無線通信機能により情報の送受を行う。
店舗サーバ装置３００は、利用者の商品等の購入状況を把握して、利用者毎の買上実績情報を出庫管理サーバ装置２００に送信する。店舗サーバ装置３００は、店舗内の売り場に設置される、汎用のＰＯＳ（Ｐｏｉｎｔ  ｏｆ  Ｓａｌｅｓ）システム端末４００と接続している。店舗サーバ装置３００は、前記ＰＯＳシステム端末４００から前記買上実績情報を取得する。
次に、本実施の形態の入庫管理サーバ装置１００及び出庫管理サーバ装置２００のハードウェアの構成要素を図２を用いて説明する。
図２は、本実施の形態における入庫管理サーバ装置１００の構成図である。ただし、本実施の形態における出庫管理サーバ装置２００の構成も、入庫管理サーバ装置１００と同様なので、（）内に出庫管理サーバ装置２００の符号を付してその説明を省略する。
まず、入庫管理サーバ装置１００及び出庫管理サーバ装置２００には、ＣＰＵ（ｃｅｎｔｒａｌ  ｐｒｏｃｅｓｓｉｎｇ  ｕｎｉｔ）１０１（２０１）とメインメモリ（ＭＭ）１０２（２０２）とから構成され、アプリケーションプログラムに基づいて処理を行う、演算処理部１０３（２０３）が設けられている。
前記演算処理部１０３（２０３）には、バス１０８（２０８）を介して、記憶装置１０４（２０４）が接続される。なお、記憶装置１０４（２０４）には、通常はハードディスク装置等の大容量記憶媒体を用いる。
そして、前記記憶装置１０４（２０４）には、入庫管理サーバ装置１００及び出庫管理サーバ装置２００が正常に機能するために必要なオペレーティングシステム（ＯＳ）がインストールされている。
また、前記記憶装置１０４（２０４）内には、汎用のアプリケーションプログラムがインストールされている。
前記記憶装置１０４（２０４）内には、本発明の駐車場管理方法を実現するために作成された、コンピュータで実行可能な駐車場管理プログラムがインストールされている。
これらのプログラムは、図示しないＣＤ−ＲＯＭ等の記憶媒体に格納されて本入庫管理サーバ装置１００及び出庫管理サーバ装置２００に提供され、図２に示されるＣＤ−ＲＯＭドライブ装置１０９（２０９）等を通じて、前記記憶装置１０４（２０４）内に実行可能な状態でインストールされる。
そして、ＣＰＵ１０１（２０１）が必要に応じて記憶装置１０４（２０４）内の駐車場管理プログラムをメインメモリ１０２（２０２）にロード（読み込み）し、順次実行することによって、本実施の形態における入庫管理サーバ装置及び出庫管理サーバ装置２００の各手段を実現している。
また、前記記憶装置１０４（２０４）内には、本発明におけるデータベースが設けられている。入庫管理サーバ装置１００及び出庫管理サーバ装置２００のデータベースには、入庫時刻情報、出庫時刻情報、端末属性情報等が格納される。
〈データ構造〉
図５は、出庫管理サーバ装置２００における利用料金の精算処理データベースの一例を示す図である。
精算処理データベースには、個々の携帯型端末５００の端末属性情報に関連付けられた入庫時刻情報、出庫時刻情報、買上実績情報、買上実績情報に基づく割引金額情報、割引金額情報を加味した料金精算情報、出庫許可フラグ、通過ゲート番号等が格納されている。
例えば、図５上のａについて説明すると、電話番号「０９０１１２０５６９８」の携帯型端末５００が、「１０：５０」に入庫し、「１２：５５」に出庫したことが分かる。また、この携帯型端末５００の利用者は、「１５，０００」円の買い物をして、買上実績情報に基づく割引金額情報が「６００」円で、差し引きの利用料金情報が「１５０」円である。また、この携帯型端末５００は精算処理が完了しているため出庫許可のフラグとして「１」が付されている。さらに、この携帯型端末５００が通過したゲート番号は、「２００」である。なお、ゲート番号は、ゲートが一つしかない場合などには特に必要ない。
〈作用〉
次に、本発明の駐車場管理の手順について、図３及び図４のフローチャートを用いて説明する。
まず、本実施の形態における入庫時の処理について、図３を参照して説明する。
図３は、入庫管理サーバ装置１００の処理フローチャートである。
この処理では、まず、入庫時に入庫管理サーバ装置１００は、車両の入口に入庫車両があるか否かを確認する、ネットワーク接続状況確認処理を行う（図３におけるステップ１０１、以下Ｓ１０１のように省略する）。このネットワーク接続状況確認処理では、入庫管理サーバ装置１００の無線通信範囲に携帯型端末５００があるか否かが確認される。
携帯型端末５００を備えた車両が駐車場の入庫ゲート付近に近づくと、入庫管理サーバ装置１００は携帯型端末５００と無線通信ネットワークで接続したか否かを確認する（Ｓ１０２）。接続が確認できないとき、入庫管理サーバ装置１００は、ステップ１０１の処理へ制御を戻す。
一方、携帯型端末５００と接続すると、入庫管理サーバ装置１００は、前記車両の入庫を許可する。このとき、入庫管理サーバ装置１００は、入庫ゲートを開き、車両の入庫を確認する。なお、入庫を確認する処理は、入庫ゲートに車両が通過したか否か識別するセンサを取り付ける。入庫管理サーバ装置１００は、センサが反応した場合に、入庫時刻情報を生成して当該車両の駐車場管理をする。
また、接続状況確認時に所定のイベント、例えば車両の進入乃至は接近を検知して入庫ゲートを開いてもよく、または入庫ゲート付近に操作盤を設けて利用者の操作によって入庫ゲートを開くようにしてもよい。
入庫管理サーバ装置１００は、携帯型端末５００に端末属性情報の送信を要求する（Ｓ１０３）。なお、前記端末属性情報とは、個々の端末に関連付けられ各端末を識別可能な情報である。例えば、携帯型端末５００が携帯型電話機であれば、電話番号を端末属性情報にすることができる。
前記端末属性情報を取得した入庫管理サーバ装置１００は、ネットワークへの入庫時刻情報を当該携帯型端末５００に送信する（Ｓ１０３）。
携帯型端末５００に入庫管理サーバ装置１００の入庫時刻情報を送信することで、管理者側と利用者側との時刻情報が一致するため、利用者は正確に利用時間を把握することができる。
入庫管理サーバ装置１００は、当該携帯型端末５００の端末属性情報及び入庫時刻情報を、出庫管理サーバ装置２００に送信する（Ｓ１０４）。出庫管理サーバ装置２００に前記情報を送信すると、入庫管理サーバ装置１００は、当該携帯型端末５００に対する入庫処理を終了する。
次に、本実施の形態における出庫時の処理について、図４を参照して説明する。図４には、出庫管理サーバ装置２００の処理フローチャートが示される。
この処理では、まず、出庫管理サーバ装置２００は、入庫管理サーバ装置１００から端末属性情報及び入庫時刻情報を取得すると、当該携帯型端末５００が無線通信範囲にあるか否かを確認する、ネットワーク接続状況確認処理をする（図４におけるステップ２０１、以下Ｓ２０１のように省略する）。
出庫管理サーバ装置２００は、携帯型端末５００と無線通信ネットワークで接続したか否かを確認する（Ｓ２０２）。接続が確認できないとき、出庫管理サーバ装置２００は、ステップ２０１の処理へ制御を戻す。
一方、携帯型端末５００と接続したとき、出庫管理サーバ装置２００は、携帯型端末５００を通じて料金精算情報を生成する旨を利用者に確認する（Ｓ２０３）。これにより利用者は、料金の支払い方法の情報である精算手段情報の入力を促される。利用者が前記精算手段情報を入力すると、前記精算手段情報は出庫管理サーバ装置２００に送信される。
出庫管理サーバ装置２００は、前記精算手段情報を携帯型端末５００から受信（Ｓ２０４）する。前記精算手段情報として具体的には、利用者が利用料金を現金で支払ったときに、出庫管理サーバ装置２００は支払完了情報を受信する。また、利用者が各種カードで利用料金を支払う場合に、出庫管理サーバ装置２００はカード番号等を受信する。さらに、利用者が電話料金との一括精算する場合に、出庫管理サーバ装置２００は電話番号情報を受信する。
店舗での買上実績に基づいて利用料金を割り引く場合に出庫管理サーバ装置２００は、本発明の販売システムの一つである店舗サーバ装置３００から利用者の買上実績情報を取得する。さらに、出庫管理サーバ装置２００は、携帯型端末５００がネットワークに接続した時刻に基づき出庫時刻情報を取得して利用料金の精算処理を行う（Ｓ２０５）。
精算処理が完了すると、出庫管理サーバ装置２００は、料金精算情報を携帯型端末５００に送信する（Ｓ２０６）。また、出庫管理サーバ装置２００は、料金精算が完了したことを受けて、精算処理データベースの当該携帯型端末５００の出庫許可のフラグを立てる。
出庫管理サーバ装置２００は、当該携帯型端末５００を備えた車両の出庫を許可して、ゲートを開く（Ｓ２０７）。出庫管理サーバ装置２００は、車両がゲートを通過するのをセンサで判断する。
当該携帯型端末５００とのネットワーク接続が断たれると、出庫管理サーバ装置２００は当該携帯型端末５００に対する出庫管理処理を終了する。
次に、本実施の形態における携帯型端末５００の処理について、図４を参照して説明する。
この処理では、まず入庫時に、携帯型端末５００は、入庫管理サーバ装置１００とのネットワーク接続状況確認処理を行う（図４におけるステップ３０１、以下Ｓ３０１のように省略する）。
携帯型端末５００を備えた車両が駐車場の入庫ゲート付近に近づくと、携帯型端末５００は、入庫管理サーバ装置１００と無線通信ネットワークを介して接続したか否かを確認する（Ｓ３０２）。接続が確認できないとき、携帯型端末５００は、ステップ３０１の処理へ制御を戻す。
一方接続できたとき、携帯型端末５００は、端末内のデータベースにおける利用時間情報を示すカウンタ、または接続状況を記録するログファイルに対して初期化処理を行う（Ｓ３０３）。
携帯型端末５００は、入庫管理サーバ装置１００に前記端末属性情報を無線通信ネットワークを介して送信する（Ｓ３０４）。携帯型端末５００は、前記入庫時刻情報を受信する（Ｓ３０４）。
このとき、携帯型端末５００は、前記入庫時刻情報に基づいて、前記入庫時刻情報からの経過時間を示す情報として、利用時間情報を液晶式ディスプレイ等の表示装置に表示する（Ｓ３０５）。入庫時の駐車場管理処理が終わると、携帯型端末５００は、入庫管理サーバ装置１００との接続を解除する。
また、出庫時に、携帯型端末５００は、出庫管理サーバ装置２００とのネットワーク接続状況確認処理を行う（Ｓ３０６）。
携帯型端末５００は、出庫管理サーバ装置２００と無線通信ネットワークで接続したか否かを確認する（Ｓ３０７）。接続が確認できないとき、携帯型端末５００は、ステップ３０７の処理へ制御を戻す。
一方接続できたとき、携帯型端末５００は、精算手段を利用者に選択させるために、ディスプレイ等の表示手段に精算手段情報を表示する（Ｓ３０８）。前記精算手段には、店舗または駐車場にて現金乃至はクレジットカード等のカード決済、或いは電話料金に加算して支払うなどの方法が挙げられる。
携帯型端末５００は、利用者が選択した精算手段情報を、出庫管理サーバ装置２００に送信する（Ｓ３０９）。このとき、カードによる利用料金の決済であれば各種カードの識別番号等を同時に送信する。また、電話料金による利用料金の決済であれば、電話番号情報等の端末属性情報を送信する。
携帯型端末５００は、精算手段情報に基づいて出庫管理サーバ装置２００が行った料金精算の結果をディスプレイ等の表示装置に表示する（Ｓ３１０）。この携帯型端末５００のディスプレイ等に表示する情報には、カウンタを停止した利用時間情報、或いは料金精算情報及び出庫許可のフラグが含まれる。
携帯型端末５００は、出庫ゲートを出た後、出庫管理サーバ装置２００とのネットワーク接続が途絶えると、駐車場管理プログラムで用いた一時ファイル削除等の終了処理を行って駐車場管理プログラムを終了する（Ｓ３１１）。
〈実施の形態の効果〉
駐車場管理方法を実施した本駐車場管理システムによれば、駐車場でカードを用いて車両の管理をしないため、入出庫時の手続の時間を短縮することができる。
また、本システムによれば、出庫時に出口付近で直接料金の授受をしないため、入出庫時の手続の時間を短縮することができる。
また、本システムによれば、利用者側の携帯型端末５００に駐車場の利用時間を表示させることができるため、利用者にとって適切な利用時間で駐車場を利用することができる。また、本システムによれば、入庫管理サーバ装置１００から時刻情報を受信するので、入庫管理サーバ装置１００と携帯型端末５００との時刻情報が統一できるため、利用者は利用時間を正確に認識することができる。
また、本システムによれば、利用者毎の買上実績情報を取得することができるため、買上実績情報に応じて利用料金を割り引く場合に、割引金額を容易に算出できる。
また、本システムによれば、利用料金を携帯型電話機の電話料金との一括精算することができるため、現金及び各種カードを持ちあせていない場合であっても、利用料金の支払を滞りなく完了することができる。
また、本システムによれば、利用料金を携帯型電話機の電話料金との一括精算することができるため、利用料金の支払いの手間を省略することができる。
また、本システムによれば、携帯型電話機などの汎用の携帯型端末に駐車場利用携帯型端末プログラムをインストールすることによって、多くの利用者が容易に本システムを利用することができる。
〈変形例〉
前記実施の形態では、入庫管理を行う入庫管理サーバ装置１００と出庫管理を行う出庫管理サーバ装置２００とによって、入出庫時の車両の管理を行ったが、本発明はこのようなシステムの構成に限定されない。
例えば、入庫管理サーバ装置１００及び出庫管理サーバ装置２００双方の機能を有するサーバ装置が入出庫の管理を行ってもよい。この場合、入庫ゲートと出庫ゲート付近に、携帯型端末５００との無線通信部を設ける。サーバ装置は、入庫ゲートと出庫ゲートとの識別が可能なように、個々のゲートに関連付けられた属性情報を付す。この属性情報に基づいて、入庫する車両と出庫する車両とを識別するようにしてもよい。
また、入庫ゲートと出庫ゲートが共通の駐車場で本発明を実施する場合には、車両の進入方向をサーバ装置が識別して入庫管理であるか出庫管理であるかを識別するようにしてもよい。
また、前記実施の形態において、入庫管理サーバ装置１００及び出庫管理サーバ装置２００と携帯型端末５００との無線通信には、本発明に適したブルートゥースを用いたが、他の無線通信によって情報を送受信してもよい。
例えば、無線通信として、無線ＬＡＮ（Ｌｏｃａｌ  Ａｒｅａ  Ｎｅｔｗｏｒｋ）システムを用いてもよい。この場合、予めＩＰ（Ｉｎｔｅｒｎｅｔ  Ｐｒｏｔｏｃｏｌ）アドレスを携帯型端末５００毎に割り振らなくてはならない。しかしながら、例えば会員制の商業施設等、予め利用者が決まっている場合には、予めＩＰアドレスの割り振りが容易にできるため、本発明の無線通信方法として無線ＬＡＮ（Ｌｏｃａｌ  Ａｒｅａ  Ｎｅｔｗｏｒｋ）を用いてもよい。
また、前記実施の形態において、出庫管理サーバ装置２００を出庫ゲート付近に設けたが、店舗側の出入り口付近に出庫管理サーバ装置２００を設けてもよい。この場合、出庫管理サーバ装置２００は、利用者が駐車場に車両を置いたまま退店するときに、利用料金の精算が容易になる。
なお、本発明の駐車場管理方法は、本実施の形態にのみ限定されるものではなく、本発明の要旨を逸脱しない範囲内において種々変更を加え得ることは勿論である。
【産業上の利用可能性】  以上説明したように、本発明によれば、無線通信を利用して駐車場における個々の車両の識別及び利用料金の授受を容易且つ正確に実施することができる。
【図１】
2004015635.tif 000003
【図２】
2004015635.tif 000004
【図３】
2004015635.tif 000005
【図４】
2004015635.tif 000006
【図５】
2004015635.tif 000007
【国際調査報告】
2004015635.tif 000008
2004015635.tif 000009
2004015635.tif 000010
2004015635.tif 000011